(57)【要約】      （修正有）【課題】ヘッドスピードや飛打球のスピード、打出角のデジタル情報を実測できる測定器を備え、その測定器に示される飛距離を示す数値や打球方向によって、ゴルファにとって最も適合するゴルフクラブを選択することができるシステムを提供する。【解決手段】ゴルファが試打するにあたって、フィールド４付のゴルフ練習場２において収納＆発注スペース１０を設けヘッドスピードによってゴルフクラブを幾つかに区分けをした収納機構を設け、試打した時のデジタル情報とアナログ情報から適合するゴルフクラブを選択する等を行い、これらを繰り返し、最適ゴルフクラブを決めるといった方法でゴルファにより適合したゴルフクラブを選択する。【選択図】図１
2009018137.tif 000002
【特許請求の範囲】
【請求項１】
ゴルファに適合するゴルフクラブの選択システムに於いて、メーカ指定のヘッドスピードに基づき、複数の区分け領域に区分し、各々複数個のゴルフクラブを収納した収納機構と、該収納機構から選択した該ゴルフクラブを用いてゴルフボールを試打できる練習フィールドと、該試打した時のヘッドスピードや打出角等の測定を行う事が可能なＰＣ機器からなる測定機器を備え、該試打した該ゴルフボールが、該練習フィールドに実際に飛球した時のアナログ情報と、該測定機器によって測定したデジタル情報とを比較検討し、該ゴルファに適合するゴルフクラブを、該収納機構に収納した該ゴルフクラブの中から選択決定していくゴルフクラブの選択システム
【請求項２】
前記収納機構に収納した前記ゴルフクラブは、前記ヘッドスピードによる区分け領域に基づき、ヘッドの材質や重さ、ロフト角の角度、シャフトの材質や硬さなどについても、それぞれ異なったゴルフクラブを用意したことを特徴とする特許請求の範囲第１項に示したゴルフクラブの選択システム
【請求項３】
前記収納機構に収納された前記ゴルフクラブは、複数の製造メーカのものを用意したことを特徴とする特許請求の範囲第１項に示したゴルフクラブの選択システム
【請求項４】
前記ゴルファに適合するゴルフクラブを、別個に用意したＰＣ機器によって、該ゴルフクラブの製造もしくは販売メーカに発注申し込みできるようにした特許請求の範囲第１項に示したゴルフクラブの選択システム
【請求項５】
前記特許請求の範囲第１項から第４項に示したゴルフクラブの選択システムを備えたことを特徴とするゴルフ練習場
【発明の詳細な説明】
【技術分野】
【０００１】  本発明は、ゴルフファに適合するゴルフクラブの選択システムに関する
【背景技術】
【０００２】  スポーツには、相撲や体操などの少数の例外を除き、取り扱う道具が必要となる。例えば、バスケットボール、バレー、サッカーなどのボール球技でのボール。野球やテニスなどは、ボールの他にバット、グラブやラケットが必要となる。しかし、これらは、ボールを媒介とした格闘技で、ボールは所定のものを使う他がなく、バットやラケットを選んでも、勝敗は、道具の良し悪しではなく、大方は競技者個人の技量によって決まってしまう。【０００３】  格闘技ではない個人競技として、ゴルフやスキーなどがあり、ゴルフクラブやスキーのそりなどは技量を上げる上で大切な道具であるが、そんな中でもゴルフクラブはゴルファの技量を上げる上で大きな位置を持つ。ヘッドの重さ、シャフトの硬さ、長さ、そしてヘッドの素材による球の反発係数の違い。メーカは同一のゴルファが使用しても、飛距離が伸ばせるゴルフクラブの開発を続けてきている。【０００４】  そうした中で、ゴルファに適合するゴルフクラブを選択する上で、一番大きな要素として注目されてきたのが、ヘッドスピードである。「ゴルフクラブのヘッドスピード測定装置」（特開平５−２３２１３０）が出願されている。メーカーサイドからは、作製されたゴルフクラブが、どの位のヘッドスピードに適合したものかを表示することが行われ、ゴルファが自分のヘッドスピードを測定すれば、適合するゴルフクラブの選択がより容易となった。【０００５】  そうした中で、「ゴルフクラブヘッドの速度測定方法及び装置」（特開平１０−２０６４５１）では、より精確にヘッドの速度測定を行う方法が示されたり、バックスイングやフォワードスイング等のスイングにかかる時間を測定する「ゴルフクラブのスイング測定装置」（特開平１１−２９０４９６）さらに「ゴルフクラブシャフトのヘッド先行程度検出装置、ゴルフクラブシャフトのトウダウン程度測定検出装置及び撓み速度検出装置」（特開２００６−２５５３０３）についても出願されている。【０００６】  これら試打するゴルフクラブのヘッドスピードだけでなく、スイング角度や打球の測定値、ボールの弾道等の情報を演算して表示する「ゴルフ練習診断装置」（特開平５−３１７４８０）や「ゴルフ等運動練習目標達成システム及びゴルフ練習装置」（特開２００２−２４８１８）なども出願されこれらの測定装置を練習装置として使用し、ゴルフの技術向上に役立てようとすることが試みられてきている。【０００７】  また、こうした測定装置を使って、ゴルファに適合する「最適ゴルフクラブシャフト選択システム及びゴルフクラブシャフト」（特開２００４−１２９６８７）も出願されている。【０００８】
【特許文献】特開平５−２３２１３０  特開平５−３１７４８０  特開平１０−２０６４５１  特開平１１−２９０４９６  特開２００２−２４８１８７  特開２００４−１２９６８７  特開２００６−２５５３０３
【発明の開示】
【発明が解決しようとする課題】
【０００９】  こうした練習用の測定機器はゴルファのヘッドスピードを測定し、ゴルファに適合したゴルフクラブを選択するためのツールとして、ゴルフクラブの大手量販店などに、設置されてきた。ゴルファにとっての究極の目的は、飛距離をのばすことである。それら測定機器では、実測されたヘッドスピードや打出角や球速などのデジタルデータに基づき、所定の演算式によって測定機器内で、飛距離を計算し、表示するようにしている。しかし、ここで演算された飛距離は実測値ではなく、あくまで理論値であり、実際とは差がある。【００１０】  ゴルフクラブは、一般的にいって高価なものであり、一度購入すると何度も買い替えられる物ではない。従ってゴルファにとって適合したゴルフクラブであるかどうかは、正確さが必要であり、出来る限り自分に適合したものであることが必要である。ゴルファから言えば、その選択はより正確な適合性が求められると共に特定のメーカのものから選ぶというよりは、どのメーカのゴルフクラブも選択にあたって対象とするような選び方をしたい。しかし、量販店では、メーカごとにゴルフクラブが陳列され、ゴルファが選択しやすい方法はとられていなかった。【００１１】  その意味で、これまでのゴルフクラブの選択システムは、ゴルフクラブを作るメーカや販売メーカから考えた選択システムでしかなく、最終ユーザであるゴルファにとって選択しやすいものではなかった。そうした制限をもつ中で自分に適合しないゴルフクラブを選んでしまった時、そのクラブで直すぐ投ばすようにする為に、今度はフォームを崩してしまうということにもなった。【００１２】  そこで、本願では、ゴルファに最も適合したゴルフクラブを科学的に選択するシステムと、それが簡単に行える場所の提供を行うものである。
【発明を解決するための手段】
【００１３】  本願では、ゴルファに最も適合したゴルフクラブの選択するシステムとして、
▲１▼ゴルフクラブで、実際に試打したゴルフボールの飛球先が確認できる練習フィールドで行い
▲２▼試打したゴルフクラブのヘッドスピードやゴルフボールの打出角などを測定できる測定器を備え
▲３▼その測定器で測定したデジタル情報と実際に飛んだゴルフボールの様子を示すアナログ情報を比較し
▲４▼一方ヘッドスピードに基づき複数に区分けしたゴルフクラブの収納機構を別個に用意し、その収納機構ごとに様々な特性をもったゴルフクラブを収納し、その収納されたゴルフクラブからゴルファが適合したものを選択し
▲５▼再び選択したゴルフクラブで試打した先のデジタル情報とアナログ情報を比較することにより、よりゴルファに適合性のあるゴルフクラブを選択できる選択システムを考えた。そして、テクニカル・ゴルフ・フィッティングシステムと名付けた。
【発明の効果】
【００１４】  本発明によるゴルファに適合するゴルフクラブの選択システムを用いれば、ゴルフクラブによる試打時の諸データに基づく、飛距離やその時の飛打球の行方を理論的に演算したデジタル情報だけでなく、実際にゴルフボールが飛球した様子であるアナログ情報を加味して、そのゴルフクラブの適合性を見るため、選択にあたっての精度が飛躍的に上る効果をもつ。
【００１５】  またゴルフ練習場の打席の試打コーナの一角に、色々なゴルフクラブをヘッドスピードという一つの基準に基づいて、いくつかに区分けして収納機構に入れ、さらに収納機構は試打するゴルファのそばに移動しやすいようにキャリーを付けられるようにしたため最適なゴルフクラブの選択がスムーズに行えるようになった。特にこれまでは、区分けはメーカごとに行うのが常であったため、ヘッドスピードによって区分けし、色々なメーカのものを一つの収納機構に入れておくというのは、画期的であり、選択に当たっての巾を広げ、ひいては最適ゴルフクラブの選択を容易にした。
【００１６】  ゴルファが自分に合わないゴルフクラブを選び、その結果、飛打球が曲がってしまったり、上に浮き上がってしまうことになった時、それを正すためにフォームを崩すということがあったが、自分に合ったゴルフクラブを選択できればそうしたことはない。
【００１７】  通常商品を購入するために、お店に入るのにお金を支払うことはない。ところが本願システムでは、ゴルファがお金を支払って練習する場所が、商品を選び、購入する場となり、新しい商品販売の方法を示している。これはユーザサイドからいって、この選択システムが合理的であり納得できるから可能な方式でもある。既存のゴルフ練習場にこの選択システムを導入すれば、練習場の価値も高めることができる。
【発明の最良の実施例】
【００１８】  図１は、本発明によるゴルファにお最も適合したゴルフクラブを選択するシステムを説明するためのゴルフ練習場の一実施例の平面図である。（２）はゴルフ練習場、（４）はフィールド、（６）は打席、（８）は通路、（９）は選択＆決定スペース（１０）は収納＆発注スペース、（１１）は収納機構、（１２）は計測機器、（１３）はＰＣ機器、（１４）は計測表示装置、（１６）は試打スペース、（１８）はゴルファ、（２０）はインストラクタである。
【００１９】  ここに示したゴルフ練習場（２）の特徴は、別棟にフロントやゴルフクラブや手袋、帽子などのゴルフグッズの展示販売コーナ、談話コーナなどがあるが、従来にない仕組みは、ゴルファにとって最も適合したゴルフクラブを実際に試打しながら選択決定できる選択、決定スペース（９）を備えていることである。
【００２０】  この選択＆決定スペース（９）は収納＆発注スペース（１０）を持ち、従来のゴルフ練習場にある打席（６）の一部に、ヘッドスピードや打出角等を測定できる測定器（１２）と、それらの測定データや測定データから演算したデジタル情報を表示する計測表示装置（１４）を備えている。試打スペース（１６）にユーザであるゴルファ（１８）が立ち、ここで試打したゴルフクラブのヘッドスピードや、飛打球の打出角などを計測機器（１２）で計測するのである。その時インストラクタ（２０）が実際の飛打球の到達距離や方向を目視する。
【００２１】  その際、収納＆発注スペース（１０）には、ヘッドスピードによって男子用３区分と女子用２区分に分けた収納機構（１１）が５個とインターネットを可能とするＰＣ機器（１３）が備えられている。ちなみに、男子用としてはヘッドスピードを▲１▼４２ｍ／ｓｅｃ未満、▲２▼４２以上４８ｍ／ｓｅｃ、▲３▼３４以上〜４８ｍ／ｓｅｃまでというように分けて３個の収納機構（１１）を設ける。女子用としては、▲１▼１８以上〜３４ｍ／ｓｅｃ未満▲２▼３４以上〜４８ｍ／ｓｅｃまでという２区分とし、２個の収納機構を用意する。
【００２２】  これらの収納機構には、ヘッドの重さや材質、ロフト角を変えたもの、シャフトの素材や硬さなどの種類を変えたもの、そして区分の中に入る範囲でヘッドスピードを変えたものを用意する。ゴルフクラブは製造メーカごとに素材を変えているため、複数の製造メーカのものをこの収納機構に収めておけば、ユーザであるゴルファに適合しているゴルフクラブを見つけやすくなる。この図では、収納＆発注スペース（１０）には５個の収納機構しか示していないが、この５個に入りきらない分を収納するスペースを設けてよい。
【００２３】  ユーザであるゴルファ（１８）が現状の所有クラブか、この収納機構（１１）からとりあえず自分に合っている（合っていそうな）ゴルフクラブを取り出し、試打し、計測器（１２）のデジタル情報とインストラクタ（２０）による目視観察によるアナログ情報を比較検討し、次のゴルフクラブの選択参考とする。計測機器はヘッドスピードの他ゴルフボールの打出し速度、打出角（上下、左右）を計測できるものもあり、参考にはなるが、結果としての飛距離は、これらのデータを統合したコンピューターによる演算結果でしかなく、実際の飛距離ではなく、あくまで理論値である。この際インストラクタによる目視観察によって飛打球の舞い上がり方の様子や、到達地点の位置からこれら理論値に修正を加え、試打の中で生起したゴルファとゴルフクラブの相性、適合性をより確実に判断することが可能である。
【００２４】  より具体的には試打スペース（１６）で、ゴルファ（１８）が試打し、その結果をこのようにデジタル情報とアナログ情報として入手し、試打したゴルフボールが、真直ぐに飛んでいるか、左右にずれているか。不必要にバックスピンがかかり、舞い上がり、その分飛距離が出ていないかなどを確認し、ゴルフクラブのヘッドの重さを変えたり、ロフト角を変えたり、シャフトがねじれにくい硬いものにしたりと判断し、より適合するゴルフクラブを収納機構（１１）から選んでいくことになる。
【００２５】  このようにして、選んだゴルフクラブで再びゴルファ（１８）が試打し、試打したゴルフボールの行方であるアナログ情報とその時の計測器（１２）のデジタル情報によって、再選択したゴルフクラブの適合性を考え、さらに修正する所を考えて、別のゴルフクラブを選択するということを行っていく。
【００２６】  このように選択する収納機構（１１）にあらかじめ用意しておくゴルフクラブは、ヘッドスピードを基準にして、一定の区分内に収まる様々なヘッドスピードを出せるゴルフクラブ、ヘッドの素材や形状も様々な種類のものが含まれるようにすること。このためには、一つのメーカの作ったゴルフクラブではなく、幾つものメーカのゴルフクラブを用意しておくことが望ましい。
【００２７】  本願の場合、このようにしているため、選択したゴルフクラブを使うことによって、ヘッドスピードもその本人が出せる最高レベルのスピードを出せ、しかも真直ぐ飛び、飛距離が格段に伸びるゴルフクラブを選択できた時には、その場で「収納＆発注スペース」（１０）のインターネットのできるＰＣ機器（１３）を通して、メーカに対して発注し、そのゴルフ練習場（２）やゴルフクラブを届けさせるようにすることができる。この際、ＰＣ機器には、メーカ名、ゴルフクラブの種類、商品番号を入力すれば、発注先のメーカのホームページにつながり、在庫などの確認をしつつ、発注がすぐできるようにソフト的に工夫した。
【００２８】  図２は、本発明によるゴルファに最も適合したゴルフクラブを選択するシステムの実施例で、そのフローチャート図である。「ゴルフクラブの収納機構」（２２）から所定のゴルフクラブをまず「クラブ選択」（２４）する。実際に打ったゴルフボールを飛ばすことのできるフィールドをもつ「練習場」（２６）の試打スペースで、「試打」（２８）する。この場合、ゴルファの所有クラブを使用する時は、試打（２８）からスタートする。
【００２９】  「試打」（２８）した際のゴルフクラブのヘッドスピードや飛ばされるボールのスピードや打出角などの数値は、その時計測器で「デジタル測定」（３０）し、一方で、その場で立ち合ったインストラクタが飛打球の行方を目視し「アナログ測定」（３２）する。
【００３０】  この「デジタル測定」（３０）と、「アナログ測定」（３２）したものを「比較・判定」し、ゴルファに「適合しているか」（３６）を判定する。この場合、適合していなかった時には「適合しているか」（３６）の答えは「ＮＯ」（３５）となるため、もう一度「スタート」（２３）に戻り、クラブ収納機構（２２）から「比較・測定」（３４）結果に基づき所定のゴルフクラブを「クラブ選択」（２４）する。
【００３１】  「適合しているか」（３６）の答えが「ＹＥＳ」（３７）の時には、「ＰＣ機器」（３８）を使ってその選択したゴルフクラブの発注を「ＰＣ機器」（３８）上から「インターネット」（４２）を通し、「メーカや販売店」（４４）に行う。こうしてそのゴルファに最も適合したゴルフクラブを入手し「適合クラブ入手」（４６）として、このフローチャートを完成させる。
【００３２】  以上、本願発明について、図１と図２によって説明してきたが、本願の特徴点を改めて述べると、▲１▼ゴルフクラブを試打した際の様々な測定項目を測定し、ゴルフボールの飛距離等を演算し表示する測定機器は色々と開発されている。しかしながらそこで示されるものは、あくまで演算による理論値でしかない。その理論値だけに基づきゴルフクラブの選択を行ったとき、本当の意味で適合しているかで問題を残した。そこで試打したゴルフボールが、実際に飛球するフィールドを備えた練習場をベースとして、選択システムを考えた。
【００３３】  次に▲２▼ゴルフの練習場には、ゴルフクラブの展示、販売を行っているところがあるが、本願のようなゴルファにとって最適なゴルフクラブを選択することを考えた時、練習場の試打コーナで試打しながら、適合するゴルフクラブを、そうした展示、販売している所に探しに行くのではあまりに不便であり、また目的を果たすことができない。そこで本願では、試打する場所の近傍に様々なゴルフクラブを収納し、かつ選択にあたって便利なようにクラブヘッドのスピードによって区分けするという方法をとった。図３は、ゴルフクラブの収納機構の一実施例の外観図である。ここでは、３台のものを図３（ａ）では側面から図３（ｂ）では正面から描いている。各１台ごとに３つのケースを重ね、移動できるようにしている。５０は収納機構である。
【００３４】  さらに▲３▼実際に飛球するゴルフボールの特徴をアナログ情報として把握し、測定機器によって得られるデジタル情報に加えて、統合判断し、ゴルファに適合するゴルフクラブをより正確に選ぶように考えた。
【００３５】  図４は、本発明によるゴルフクラブを選択するシステムを導入したゴルフ練習場の様子を描いた図である。５２は測定機器、５４は測定機器の端末、５６は試打するゴルファ、５８はインストラクタ、６０は測定機器（５２）の表示装置、６２は収納＆発注スペース、６４は収納機構である。６６は、ＰＣ機器。
【００３６】  ゴルファ（５６）は、まず自分のヘッドスピードをインストラクタ（５８）に話し、そのヘッドスピードのクラブを収めている収納機構（６４）から、適当にクラブを選んでもらう。選んだゴルフクラブでゴルファ（５６）は試打し、その時のヘッドスピードや打出角、ゴルフボールの打出スピードなどのデジタル情報を、測定機器（５２）で測定し、一方でインストラクタ（５８）は、この試打の様子を目視し、測定機器（５２）の表示装置（６０）でこのデジタル情報を見ながら、自分が目視したアナログ情報も加味しながらゴルファ（５６）に更に適合するゴルフクラブを収納機構（６４）から選び、再試打させるのである。
【００３７】  このようにゴルフクラブの選択と試打を繰返し、ゴルファ（５６）にとって最適のゴルフクラブを選択決定すれば、収納＆発注スペース（６２）のＰＣ機器（６０）から発注するようにしている。
【００３８】  以上、本発明について、図１、図２などを使って説明してきたが、本発明はこうした具体的事例に把われることなく、特許請求の範囲で請求する範囲をカバーするものである。
【産業上の利用可能性】
【００３９】  ゴルフ練習場は、日常的にゴルフコースに行くことができないゴルファにとって手軽に汗を流し、技量上達を計るための場所である。従って、今後も手軽に利用できる場所ということで、利用拡大が予想できる。また、ゴルフ練習場を運営経営する事業者の中には、ゴルフクラブやその他のゴルフ関連グッズの販売に力をいれ、経営の安定化を計ろうとしているものもいる。またそうした社会的な背景の中で、事業家にとってゴルフ練習場自体が売り買いする商品として、位置づけられ、より価値の高いものへとする試みも行われている。本願は、ゴルファにとって飛距離を伸ばすという究極の目的を実現するために、ゴルファに適合したゴルフクラブを選択し、その場で購入してもらうゴルフクラブの選択・購入システムであり、それ自体価値を持つと共に本選択システムを備えたゴルフ練習場はより安定した練習場経営を行えることとなる。その意味で本願発明の産業上の利用可能性は高い
【図面の簡単な説明】
【００４０】
【図１】本発明によるゴルファに最も適合したゴルフクラブを選択するシステムを説明するためのゴルフ練習場の一実施例の平面図である。
【図２】本発明によるゴルファに最も適合したゴルフクラブを選択するシステムの一実施例のフローチャート図である。
【図３】本発明による収納機構の一実施例図の概観図である。
【図４】本発明によるゴルフクラブを選択するシステムを導入したゴルフ練習場の様子を描いた図である。
【符号の説明】
【００４１】  ２・・・ゴルフ練習場
４・・・フィールド
１０・・収納＆発注スペース
１１・・ゴルフクラブ収納機構
１２・・計測器
１８・・ゴルファ
２０・・インストラクタ
３０・・デジタル情報
３２・・アナログ情報
【図１】
2009018137.tif 000003
【図２】
2009018137.tif 000004
【図３】
2009018137.tif 000005
【図４】
2009018137.tif 000006